【手続補正書】
【提出日】平成24年1月31日(2012.1.31)
【手続補正１】
【補正対象書類名】明細書
【補正対象項目名】００３９
【補正方法】変更
【補正の内容】
【００３９】
注目すべきことに、特定の濃度のポリアルキレンイミンと組み合わせて特定のクロスリンカーを使用することにより、調節可能な分解特性を有するヒドロゲルを得ることができるという発見を本明細書に開示する。
本発明は、例えば以下の項目を提供する。
（項目１）
活性化ポリアルキレングリコール二酸誘導体及び架橋剤を含む、組織と接触するポリマー組成物であって、前記活性化ポリアルキレングリコール二酸誘導体が以下の式Ｉ
【化２９】
2011511880.tif 000001
［式中、現われるたびに独立に、
Ｒは、Ｈ又は低級アルキルであり、
ｍは、２〜２０（２と２０を含む）であり、
ｗは、５〜１，０００（５と１，０００を含む）である］により表される、ポリマー組成物。
（項目２）
前記架橋剤がポリアルキレンイミン又はトリリシンである、項目１に記載のポリマー組成物。
（項目３）
前記架橋剤がポリエチレンイミン（ＰＥＩ）である、項目１に記載のポリマー組成物。
（項目４）
前記架橋剤がＰＥＩ２５０００、ＰＥＩ５０００、ＰＥＩ２０００、ＰＥＩ１３００、ＰＥＩ８００又はＰＥＩベース若しくはＰＰＩベースの樹枝状構造である、項目１に記載のポリマー組成物。
（項目５）
前記架橋剤がＰＥＩ２０００である、項目１に記載のポリマー組成物。
（項目６）
前記架橋剤がトリリシンである、項目１に記載のポリマー組成物。
（項目７）
ｍが５〜２０（５と２０を含む）である、項目１から６までのいずれか一項に記載のポリマー組成物。
（項目８）
ｍが５〜１０（５と１０を含む）である、項目１から６までのいずれか一項に記載のポリマー組成物。
（項目９）
ｍが２〜１０（２と１０を含む）である、項目１から６までのいずれか一項に記載のポリマー組成物。
（項目１０）
ｍが２である、項目１から６までのいずれか一項に記載のポリマー組成物。
（項目１１）
ｍが３である、項目１から６までのいずれか一項に記載のポリマー組成物。
（項目１２）
ｍが４である、項目１から６までのいずれか一項に記載のポリマー組成物。
（項目１３）
ｍが５である、項目１から６までのいずれか一項に記載のポリマー組成物。
（項目１４）
ｍが６である、項目１から６までのいずれか一項に記載のポリマー組成物。
（項目１５）
ｍが７である、項目１から６までのいずれか一項に記載のポリマー組成物。
（項目１６）
ｍが８である、項目１から６までのいずれか一項に記載のポリマー組成物。
（項目１７）
ｍが９である、項目１から６までのいずれか一項に記載のポリマー組成物。
（項目１８）
ｍが１０である、項目１から６までのいずれか一項に記載のポリマー組成物。
（項目１９）
ｍが１１である、項目１から６までのいずれか一項に記載のポリマー組成物。
（項目２０）
ｍが１２である、項目１から６までのいずれか一項に記載のポリマー組成物。
（項目２１）
ｍが１３である、項目１から６までのいずれか一項に記載のポリマー組成物。
（項目２２）
ｗが５〜２０（５と２０を含む）である、項目１から６までのいずれか一項に記載のポリマー組成物。
（項目２３）
ｗが２０〜１２０（２０と１２０を含む）である、項目１から６までのいずれか一項に記載のポリマー組成物。
（項目２４）
ｗが１２０〜２５０（１２０と２５０を含む）である、項目１から６までのいずれか一項に記載のポリマー組成物。
（項目２５）
前記活性化ポリアルキレングリコール二酸誘導体がＲ−ＰＥＧｎ−Ｒであり、ｎがＰＥＧの数平均分子量を表し、約２０００〜約１２，０００（２０００と１２，０００を含む）であり、ＲがＳＳ、ＳＧ、ＳＡ、ＳＳｕｂ又はＳＳｅｂである、項目１から６までのいずれか一項に記載のポリマー組成物。
（項目２６）
前記活性化ポリアルキレングリコール二酸誘導体がＲ−ＰＥＧｎ−Ｒであり、ｎがＰＥＧの数平均分子量を表し、３３５０、４６００、６０００、８０００又は１００００であり、ＲがＳＳ、ＳＧ、ＳＡ、ＳＳｕｂ又はＳＳｅｂである、項目１から６までのいずれか一項に記載のポリマー組成物。
（項目２７）
前記活性化ポリアルキレングリコール二酸誘導体がＰＥＧ３３５０−（ＳＳ）２である、項目２６に記載のポリマー組成物。
（項目２８）
前記活性化ポリアルキレングリコール二酸誘導体がＰＥＧ３３５０−（ＳＧ）２である、項目２６に記載のポリマー組成物。
（項目２９）
前記活性化ポリアルキレングリコール二酸誘導体がＰＥＧ３３５０−（ＳＡ）２である、項目２６に記載のポリマー組成物。
（項目３０）
前記活性化ポリアルキレングリコール二酸誘導体がＰＥＧ３３５０−（ＳＳｅｂ）２である、項目２６に記載のポリマー組成物。
（項目３１）
前記活性化ポリアルキレングリコール二酸誘導体がＰＥＧ３３５０−（ＳＳｕｂ）２である、項目２６に記載のポリマー組成物。
（項目３２）
前記クロスリンカーの重量パーセントが約５％と約５０％の間である、項目１から６までのいずれか一項に記載のポリマー組成物。
（項目３３）
前記クロスリンカーの重量パーセントが約５％と約２０％の間である、項目１から６までのいずれか一項に記載のポリマー組成物。
（項目３４）
前記クロスリンカーの重量パーセントが約１５％である、項目１から６までのいずれか一項に記載のポリマー組成物。
（項目３５）
前記ポリアルキレングリコール二酸誘導体上の活性化エステルと前記架橋剤上の第一級アミンとの比が約０．１０：１〜約１０：１の範囲にある、項目１から６までのいずれか一項に記載のポリマー組成物。
（項目３６）
前記ポリアルキレングリコール二酸誘導体上の活性化エステルと前記架橋剤上の第一級アミンとの比が約０．５０：１〜約１．５：１の範囲にある、項目１から６までのいずれか一項に記載のポリマー組成物。
（項目３７）
前記ポリアルキレングリコール二酸誘導体上の活性化エステルと前記架橋剤上の第一級アミンとの比が約０．７５：１〜約１．３：１の範囲にある、項目１から６までのいずれか一項に記載のポリマー組成物。
（項目３８）
活性化ポリアルキレングリコール二酸誘導体と架橋剤との比（ｗ／ｗ）が約２：１〜１０：１である、項目１から６までのいずれか一項に記載のポリマー組成物。
（項目３９）
活性化ポリアルキレングリコール二酸誘導体と架橋剤との比（ｗ／ｗ）が約１１：１〜２０：１である、項目１から６までのいずれか一項に記載のポリマー組成物。
（項目４０）
活性化ポリアルキレングリコール二酸誘導体と架橋剤との比（ｗ／ｗ）が約２１：１〜３０：１である、項目１から６までのいずれか一項に記載のポリマー組成物。
（項目４１）
活性化ポリアルキレングリコール二酸誘導体と架橋剤との比（ｗ／ｗ）が約３１：１〜４０：１である、項目１から６までのいずれか一項に記載のポリマー組成物。
（項目４２）
活性化ポリアルキレングリコール二酸誘導体と架橋剤との比（ｗ／ｗ）が約４１：１〜５０：１である、項目１から６までのいずれか一項に記載のポリマー組成物。
（項目４３）
活性化ポリアルキレングリコール二酸誘導体と架橋剤との比（ｗ／ｗ）が約５１：１〜６０：１である、項目１から６までのいずれか一項に記載のポリマー組成物。
（項目４４）
活性化ポリアルキレングリコール二酸誘導体と架橋剤との比（ｗ／ｗ）が約６１：１〜７０：１である、項目１から６までのいずれか一項に記載のポリマー組成物。
（項目４５）
有効な量の活性化ポリアルキレングリコール二酸誘導体及び架橋剤を結合させて組成物を形成する段階、並びに前記組成物を患者の創傷に適用する段階を含む、患者の創傷を密封する方法であって、前記活性化ポリアルキレングリコール二酸誘導体が以下の式Ｉ
【化３０】
2011511880.tif 000002
［式中、現われるたびに独立に、Ｒは、Ｈ又は低級アルキルであり、
ｍは、２〜２０（２と２０を含む）であり、
ｗは、５〜１，０００（５と１，０００を含む）である］により表される、方法。
（項目４６）
有効な量の活性化ポリアルキレングリコール二酸誘導体及び架橋剤を結合させて組成物を形成する段階、並びに前記組成物を患者の軟組織又は空隙に適用する段階を含む、患者の軟組織を補強又は空隙を満たす方法であって、前記活性化ポリアルキレングリコール二酸誘導体が以下の式Ｉ
【化３１】
2011511880.tif 000003
［式中、現われるたびに独立に、
Ｒは、Ｈ又は低級アルキルであり、
ｍは、２〜２０（２と２０を含む）であり、
ｗは、５〜１，０００（５と１，０００を含む）である］により表される、方法。
（項目４７）
有効な量の活性化ポリアルキレングリコール二酸誘導体及び架橋剤を結合させて組成物を形成する段階、前記組成物を患者の第１の組織に適用して改変組織を形成する段階、並びに前記改変組織を患者の第２の組織と接触させる段階を含む、患者の組織を接着する方法であって、前記活性化ポリアルキレングリコール二酸誘導体が以下の式Ｉ
【化３２】
2011511880.tif 000004
［式中、現われるたびに独立に、
Ｒは、Ｈ又は低級アルキルであり、
ｍは、２〜２０（２と２０を含む）であり、
ｗは、５〜１，０００（５と１，０００を含む）である］により表される、方法。
（項目４８）
有効な量の活性化ポリアルキレングリコール二酸誘導体及び架橋剤を結合させて組成物を形成する段階、前記組成物を補綴材料に適用し、それにより、改変補綴材料を形成する段階、前記改変補綴材料を患者の組織に接触させ、それにより、前記補綴材料を前記患者の組織に固定する段階を含む、補綴材料を患者の組織に固定する方法であって、前記活性化ポリアルキレングリコール二酸誘導体が以下の式Ｉ
【化３３】
2011511880.tif 000005
［式中、現われるたびに独立に、
Ｒは、Ｈ又は低級アルキルであり、
ｍは、２〜２０（２と２０を含む）であり、
ｗは、５〜１，０００（５と１，０００を含む）である］により表される、方法。
（項目４９）
前記架橋剤がポリアルキレンイミン又はトリリシンである、項目４５から４８までのいずれか一項に記載の方法。
（項目５０）
前記架橋剤がポリエチレンイミン（ＰＥＩ）である、項目４５から４８までのいずれか一項に記載の方法。
（項目５１）
前記架橋剤がＰＥＩ２５０００、ＰＥＩ５０００、ＰＥＩ２０００、ＰＥＩ１３００、ＰＥＩ８００又はＰＥＩベース若しくはＰＰＩベースの樹枝状構造である、項目４５から４８までのいずれか一項に記載の方法。
（項目５２）
前記架橋剤がＰＥＩ２０００である、項目４５から４８までのいずれか一項に記載の方法。
（項目５３）
前記架橋剤がトリリシンである、項目４５から４８までのいずれか一項に記載の方法。
（項目５４）
ｍが５〜２０（５と２０を含む）である、項目４５から５３までのいずれか一項に記載の方法。
（項目５５）
ｍが５〜１０（５と１０を含む）である、項目４５から５３までのいずれか一項に記載の方法。
（項目５６）
ｍが２〜１０（２と１０を含む）である、項目４５から５３までのいずれか一項に記載の方法。
（項目５７）
ｍが２である、項目４５から５３までのいずれか一項に記載の方法。
（項目５８）
ｍが３である、項目４５から５３までのいずれか一項に記載の方法。
（項目５９）
ｍが４である、項目４５から５３までのいずれか一項に記載の方法。
（項目６０）
ｍが５である、項目４５から５３までのいずれか一項に記載の方法。
（項目６１）
ｍが６である、項目４５から５３までのいずれか一項に記載の方法。
（項目６２）
ｍが７である、項目４５から５３までのいずれか一項に記載の方法。
（項目６３）
ｍが８である、項目４５から５３までのいずれか一項に記載の方法。
（項目６４）
ｍが９である、項目４５から５３までのいずれか一項に記載の方法。
（項目６５）
ｍが１０である、項目４５から５３までのいずれか一項に記載の方法。
（項目６６）
ｍが１１である、項目４５から５３までのいずれか一項に記載の方法。
（項目６７）
ｍが１２である、項目４５から５３までのいずれか一項に記載の方法。
（項目６８）
ｍが１３である、項目４５から５３までのいずれか一項に記載の方法。
（項目６９）
ｗが５〜２０（５と２０を含む）である、項目４５から５３までのいずれか一項に記載の方法。
（項目７０）
ｗが２０〜１２０（２０と１２０を含む）である、項目４５から５３までのいずれか一項に記載の方法。
（項目７１）
ｗが１２０〜２５０（１２０と２５０を含む）である、項目４５から５３までのいずれか一項に記載の方法。
（項目７２）
前記活性化ポリアルキレングリコール二酸誘導体がＲ−ＰＥＧｎ−Ｒであり、ｎがＰＥＧの数平均分子量を表し、約２０００〜約１２，０００（２０００と１２，０００を含む）であり、ＲがＳＳ、ＳＧ、ＳＡ、ＳＳｕｂ又はＳＳｅｂである、項目４５から５３までのいずれか一項に記載の方法。
（項目７３）
前記活性化ポリアルキレングリコール二酸誘導体がＲ−ＰＥＧｎ−Ｒであり、ｎがＰＥＧの数平均分子量を表し、３３５０、４６００、６０００、８０００又は１００００であり、ＲがＳＳ、ＳＧ、ＳＡ、ＳＳｕｂ又はＳＳｅｂである、項目４５から５３までのいずれか一項に記載の方法。
（項目７４）
前記活性化ポリアルキレングリコール二酸誘導体がＰＥＧ３３５０−（ＳＳ）２である、項目７３に記載の方法。
（項目７５）
前記活性化ポリアルキレングリコール二酸誘導体がＰＥＧ３３５０−（ＳＧ）２である、項目７３に記載の方法。
（項目７６）
前記活性化ポリアルキレングリコール二酸誘導体がＰＥＧ３３５０−（ＳＡ）２である、項目７３に記載の方法。
（項目７７）
前記活性化ポリアルキレングリコール二酸誘導体がＰＥＧ３３５０−（ＳＳｅｂ）２である、項目７３に記載の方法。
（項目７８）
前記クロスリンカーの重量パーセントが約５％と約５０％の間である、項目４５から５３までのいずれか一項に記載の方法。
（項目７９）
前記クロスリンカーの重量パーセントが約５％と約２０％の間である、項目４５から５３までのいずれか一項に記載の方法。
（項目８０）
前記クロスリンカーの重量パーセントが約１５％である、項目４５から５３までのいずれか一項に記載の方法。
（項目８１）
前記ポリアルキレングリコール二酸誘導体上の活性化エステルと前記架橋剤上の第一級アミンとの比が約０．１０：１〜約１０：１の範囲にある、項目４５から５３までのいずれか一項に記載の方法。
（項目８２）
前記ポリアルキレングリコール二酸誘導体上の活性化エステルと前記架橋剤上の第一級アミンとの比が約０．５０：１〜約１．５：１の範囲にある、項目４５から５３までのいずれか一項に記載の方法。
（項目８３）
前記ポリアルキレングリコール二酸誘導体上の活性化エステルと前記架橋剤上の第一級アミンとの比が約０．７５：１〜約１．３：１の範囲にある、項目４５から５３までのいずれか一項に記載の方法。
（項目８４）
活性化ポリアルキレングリコール二酸誘導体と架橋剤との比（ｗ／ｗ）が約２：１〜１０：１である、項目４５から５３までのいずれか一項に記載の方法。
（項目８５）
活性化ポリアルキレングリコール二酸誘導体と架橋剤との比（ｗ／ｗ）が約１１：１〜２０：１である、項目４５から５３までのいずれか一項に記載の方法。
（項目８６）
活性化ポリアルキレングリコール二酸誘導体と架橋剤との比（ｗ／ｗ）が約２１：１〜３０：１である、項目４５から５３までのいずれか一項に記載の方法。
（項目８７）
活性化ポリアルキレングリコール二酸誘導体と架橋剤との比（ｗ／ｗ）が約３１：１〜４０：１である、項目４５から５３までのいずれか一項に記載の方法。
（項目８８）
活性化ポリアルキレングリコール二酸誘導体と架橋剤との比（ｗ／ｗ）が約４１：１〜５０：１である、項目４５から５３までのいずれか一項に記載の方法。
（項目８９）
活性化ポリアルキレングリコール二酸誘導体と架橋剤との比（ｗ／ｗ）が約５１：１〜６０：１である、項目４５から５３までのいずれか一項に記載の方法。
（項目９０）
活性化ポリアルキレングリコール二酸誘導体と架橋剤との比（ｗ／ｗ）が約６１：１〜７０：１である、項目４５から５３までのいずれか一項に記載の方法。
（項目９１）
生分解性ポリマーを患者の前記創傷、前記空隙又は前記組織に適用する段階をさらに含み、前記生分解性ポリマーがポリ乳酸、ポリグリコール酸又はそのコポリマーである、項目４５から５３までのいずれか一項に記載の方法。
（項目９２）
ポリマーを患者の前記創傷、前記空隙又は前記組織に適用する段階をさらに含み、前記ポリマーがコラーゲン、ヒアルロン酸、アルブミン、セルロース、エラスチン、フィブリン、フィブロネクチン、ゼラチン、ヘパリン、ヘパリン硫酸、ポリリシン、ポリ酢酸ビニル、ポリビニルピロリドン、ポリアクリル酸、ポリエチレングリコール、ポリプロピレングリコール−ポリエチレングリコールコポリマー、トリメチレンカーボネート又はトリペプチドＡｒｇ−Ｇｌｙ−Ａｓｐを含むポリペプチドである、項目４５から５３までのいずれか一項に記載の方法。
（項目９３）
予形成ヒドロゲルを患者の前記創傷、前記空隙又は前記組織に適用する段階をさらに含み、前記予形成ヒドロゲルが本明細書で述べるポリアルキレンイミンヒドロゲルである、項目４５から５３までのいずれか一項に記載の方法。
（項目９４）
溶解可能なポリマー又は無機塩を患者の前記創傷、前記空隙又は前記組織に適用する段階をさらに含む、項目４５から５３までのいずれか一項に記載の方法。
（項目９５）
前記溶解可能なポリマーをミクロスフェア又はナノスフェアとして製剤化する、項目９４に記載の方法。
（項目９６）
補綴材料を患者の前記創傷、前記空隙又は前記組織に適用する段階をさらに含む、項目４５から４７までのいずれか一項に記載の方法。
（項目９７）
前記補綴材料がメッシュである、項目４８又は９６に記載の方法。
（項目９８）
形成されたヒドロゲルが、直径が約１ミクロン〜約１００ミクロンの範囲の細孔を有する、項目４５から５３までのいずれか一項に記載の方法。
（項目９９）
前記活性化ポリアルキレングリコール二酸誘導体と前記架橋剤を水溶液中で結合させ、結合直後に前記水溶液が１００〜７００ｍＯｓ／ｋｇの重量オスモル濃度を有する、項目４５から５３までのいずれか一項に記載の方法。
（項目１００）
前記創傷の面積が約２０００ｃｍ２未満である、項目４５に記載の方法。
（項目１０１）
前記創傷が眼にある、項目４５に記載の方法。
（項目１０２）
前記創傷が肝臓にある、項目４５に記載の方法。
（項目１０３）
前記創傷が肺にある、項目４５に記載の方法。
（項目１０４）
前記創傷が心臓にある、項目４５に記載の方法。
（項目１０５）
前記創傷が膵臓にある、項目４５に記載の方法。
（項目１０６）
前記創傷が硬膜にある、項目４５に記載の方法。
（項目１０７）
前記創傷が動脈又は静脈にある、項目４５に記載の方法。
（項目１０８）
前記創傷が軟骨にある、項目４５に記載の方法。
（項目１０９）
前記創傷が椎間板にある、項目４５に記載の方法。
（項目１１０）
前記創傷が副鼻腔にある、項目４５に記載の方法。
（項目１１１）
前記創傷が耳又は耳周囲にある、項目４５に記載の方法。
（項目１１２）
前記創傷が組織平面と分類される型のものである、項目４５に記載の方法。
（項目１１３）
前記創傷が乳房切除術に関連する、項目４５に記載の方法。
（項目１１４）
前記創傷が神経系の硬膜にある、項目４５に記載の方法。
（項目１１５）
前記創傷が心臓動脈又は心臓静脈にある、項目４５に記載の方法。
（項目１１６）
薬剤、着色剤、着香剤、香料、繊維状添加物、粘稠剤又は可塑剤を適用することをさらに含む、項目４５から５３までのいずれか一項に記載の方法。
（項目１１７）
前記患者が霊長類、ウシ、ウマ、ネコ又はイヌである、項目４５から４８までのいずれか一項に記載の方法。
（項目１１８）
前記患者がヒトである、項目４５から４８までのいずれか一項に記載の方法。
（項目１１９）
前記活性化ポリアルキレングリコール二酸誘導体をｅ線照射により滅菌する段階をさらに含む、項目４５から５３までのいずれか一項に記載の方法。
（項目１２０）
前記架橋剤をｅ線照射により滅菌する段階をさらに含む、項目４５から５３までのいずれか一項に記載の方法。
（項目１２１）
前記ｅ線照射が２ｋＧｙと４０ｋＧｙの間である、項目１１９又は１２０に記載の方法。
（項目１２２）
前記活性化ポリアルキレングリコール二酸誘導体を少なくとも約１０−３の無菌性保証レベル（ＳＡＬ）を得るように滅菌する段階をさらに含む、項目４５から５３までのいずれか一項に記載の方法。
（項目１２３）
前記架橋剤を少なくとも約１０−３の無菌性保証レベル（ＳＡＬ）を得るように滅菌する段階をさらに含む、項目４５から５３までのいずれか一項に記載の方法。
（項目１２４）
前記活性化ポリアルキレングリコール二酸誘導体を少なくとも約１０−４の無菌性保証レベル（ＳＡＬ）を得るように滅菌する段階をさらに含む、項目４５から５３までのいずれか一項に記載の方法。
（項目１２５）
前記架橋剤を少なくとも約１０−４の無菌性保証レベル（ＳＡＬ）を得るように滅菌する段階をさらに含む、項目４５から５３までのいずれか一項に記載の方法。
（項目１２６）
前記活性化ポリアルキレングリコール二酸誘導体を少なくとも約１０−５の無菌性保証レベル（ＳＡＬ）を得るように滅菌する段階をさらに含む、項目４５から５３までのいずれか一項に記載の方法。
（項目１２７）
前記架橋剤を少なくとも約１０−５の無菌性保証レベル（ＳＡＬ）を得るように滅菌する段階をさらに含む、項目４５から５３までのいずれか一項に記載の方法。
（項目１２８）
前記活性化ポリアルキレングリコール二酸誘導体を少なくとも約１０−６の無菌性保証レベル（ＳＡＬ）を得るように滅菌する段階をさらに含む、項目４５から５３までのいずれか一項に記載の方法。
（項目１２９）
前記架橋剤を少なくとも約１０−６の無菌性保証レベル（ＳＡＬ）を得るように滅菌する段階をさらに含む、項目４５から５３までのいずれか一項に記載の方法。
（項目１３０）
Ｒがメチル又はＨである、項目１から４４までのいずれか一項に記載のポリマー組成物。
（項目１３１）
ＲがＨである、項目１から４４までのいずれか一項に記載のポリマー組成物。
（項目１３２）
Ｒがメチル又はＨである、項目４５から１２９までのいずれか一項に記載の方法。
（項目１３３）
ＲがＨである、項目４５から１２９までのいずれか一項に記載の方法。
【手続補正２】
【補正対象書類名】特許請求の範囲
【補正対象項目名】全文
【補正方法】変更
【補正の内容】
【特許請求の範囲】
【請求項１】
活性化ポリアルキレングリコール二酸誘導体及び架橋剤を含む、組織と接触するポリマー組成物であって、前記活性化ポリアルキレングリコール二酸誘導体が以下の式Ｉ
【化２９】
2011511880.tif 000006
［式中、現われるたびに独立に、
Ｒは、Ｈ又は低級アルキルであり、
ｍは、２〜２０（２と２０を含む）であり、
ｗは、５〜１，０００（５と１，０００を含む）である］により表される、ポリマー組成物。
【請求項２】
前記架橋剤がポリアルキレンイミン又はトリリシンである、請求項１に記載のポリマー組成物。
【請求項３】
前記架橋剤がポリエチレンイミン（ＰＥＩ）である、請求項１に記載のポリマー組成物。
【請求項４】
前記架橋剤がＰＥＩ２５０００、ＰＥＩ５０００、ＰＥＩ２０００、ＰＥＩ１３００、ＰＥＩ８００又はＰＥＩベース若しくはポリプロピレンイミン（ＰＰＩ）ベースの樹枝状構造である、請求項１に記載のポリマー組成物。
【請求項５】
前記架橋剤がＰＥＩ２０００である、請求項１に記載のポリマー組成物。
【請求項６】
前記架橋剤がトリリシンである、請求項１に記載のポリマー組成物。
【請求項７】
前記活性化ポリアルキレングリコール二酸誘導体がＲ−ＰＥＧｎ−Ｒであり、ｎがＰＥＧの数平均分子量を表し、約２０００〜約１２，０００（２０００と１２，０００を含む）であり、ＲがＳＳ、ＳＧ、ＳＡ、ＳＳｕｂ又はＳＳｅｂである、請求項１から６までのいずれか一項に記載のポリマー組成物。
【請求項８】
前記活性化ポリアルキレングリコール二酸誘導体がＲ−ＰＥＧｎ−Ｒであり、ｎがＰＥＧの数平均分子量を表し、３３５０、４６００、６０００、８０００又は１００００であり、ＲがＳＳ、ＳＧ、ＳＡ、ＳＳｕｂ又はＳＳｅｂである、請求項１から６までのいずれか一項に記載のポリマー組成物。
【請求項９】
前記活性化ポリアルキレングリコール二酸誘導体がＰＥＧ３３５０−（ＳＳ）２である、請求項８に記載のポリマー組成物。
【請求項１０】
前記活性化ポリアルキレングリコール二酸誘導体がＰＥＧ３３５０−（ＳＧ）２である、請求項８に記載のポリマー組成物。
【請求項１１】
前記活性化ポリアルキレングリコール二酸誘導体がＰＥＧ３３５０−（ＳＡ）２である、請求項８に記載のポリマー組成物。
【請求項１２】
前記活性化ポリアルキレングリコール二酸誘導体がＰＥＧ３３５０−（ＳＳｅｂ）２である、請求項８に記載のポリマー組成物。
【請求項１３】
前記活性化ポリアルキレングリコール二酸誘導体がＰＥＧ３３５０−（ＳＳｕｂ）２である、請求項８に記載のポリマー組成物。
【請求項１４】
有効な量の活性化ポリアルキレングリコール二酸誘導体及び架橋剤を含む、患者の創傷を密封するための組成物であって、前記組成物は、患者の創傷に適用されることを特徴とし、前記活性化ポリアルキレングリコール二酸誘導体が以下の式Ｉ
【化３０】
2011511880.tif 000007
［式中、現われるたびに独立に、Ｒは、Ｈ又は低級アルキルであり、
ｍは、２〜２０（２と２０を含む）であり、
ｗは、５〜１，０００（５と１，０００を含む）である］により表される、組成物。
【請求項１５】
有効な量の活性化ポリアルキレングリコール二酸誘導体及び架橋剤を含む、患者の軟組織を補強又は空隙を満たすための組成物であって、前記組成物は、患者の軟組織又は空隙に適用されることを特徴とし、前記活性化ポリアルキレングリコール二酸誘導体が以下の式Ｉ
【化３１】
2011511880.tif 000008
［式中、現われるたびに独立に、
Ｒは、Ｈ又は低級アルキルであり、
ｍは、２〜２０（２と２０を含む）であり、
ｗは、５〜１，０００（５と１，０００を含む）である］により表される、組成物。
【請求項１６】
有効な量の活性化ポリアルキレングリコール二酸誘導体及び架橋剤を含む、患者の組織を接着するための組成物であって、前記組成物は、患者の第１の組織に適用されて改変組織が形成され、前記改変組織は、前記患者の第２の組織と接触されることを特徴とし、前記活性化ポリアルキレングリコール二酸誘導体が以下の式Ｉ
【化３２】
2011511880.tif 000009
［式中、現われるたびに独立に、
Ｒは、Ｈ又は低級アルキルであり、
ｍは、２〜２０（２と２０を含む）であり、
ｗは、５〜１，０００（５と１，０００を含む）である］により表される、組成物。
【請求項１７】
有効な量の活性化ポリアルキレングリコール二酸誘導体及び架橋剤を含む、補綴材料を患者の組織に固定するための組成物であって、前記組成物は、前記補綴材料に適用されて、それにより、改変補綴材料が形成され；そして前記改変補綴材料が前記患者の組織に接触されて、それにより、前記補綴材料が前記患者の組織に固定されることを特徴とし、前記活性化ポリアルキレングリコール二酸誘導体が以下の式Ｉ
【化３３】
2011511880.tif 000010
［式中、現われるたびに独立に、
Ｒは、Ｈ又は低級アルキルであり、
ｍは、２〜２０（２と２０を含む）であり、
ｗは、５〜１，０００（５と１，０００を含む）である］により表される、組成物。
【請求項１８】
前記架橋剤がポリアルキレンイミン又はトリリシンである、請求項１４から１７までのいずれか一項に記載の組成物。
【請求項１９】
前記架橋剤がポリエチレンイミン（ＰＥＩ）である、請求項１４から１７までのいずれか一項に記載の組成物。
【請求項２０】
前記架橋剤がＰＥＩ２５０００、ＰＥＩ５０００、ＰＥＩ２０００、ＰＥＩ１３００、ＰＥＩ８００又はＰＥＩベース若しくはポリプロピレンイミン（ＰＰＩ）ベースの樹枝状構造である、請求項１４から１７までのいずれか一項に記載の組成物。
【請求項２１】
前記架橋剤がＰＥＩ２０００である、請求項１４から１７までのいずれか一項に記載の組成物。
【請求項２２】
前記架橋剤がトリリシンである、請求項１４から１７までのいずれか一項に記載の組成物。
【請求項２３】
前記活性化ポリアルキレングリコール二酸誘導体がＲ−ＰＥＧｎ−Ｒであり、ｎがＰＥＧの数平均分子量を表し、約２０００〜約１２，０００（２０００と１２，０００を含む）であり、ＲがＳＳ、ＳＧ、ＳＡ、ＳＳｕｂ又はＳＳｅｂである、請求項１４から２２までのいずれか一項に記載の組成物。
【請求項２４】
前記活性化ポリアルキレングリコール二酸誘導体がＲ−ＰＥＧｎ−Ｒであり、ｎがＰＥＧの数平均分子量を表し、３３５０、４６００、６０００、８０００又は１００００であり、ＲがＳＳ、ＳＧ、ＳＡ、ＳＳｕｂ又はＳＳｅｂである、請求項１４から２２までのいずれか一項に記載の組成物。
【請求項２５】
前記活性化ポリアルキレングリコール二酸誘導体がＰＥＧ３３５０−（ＳＳ）２である、請求項２４に記載の組成物。
【請求項２６】
前記活性化ポリアルキレングリコール二酸誘導体がＰＥＧ３３５０−（ＳＧ）２である、請求項２４に記載の組成物。
【請求項２７】
前記活性化ポリアルキレングリコール二酸誘導体がＰＥＧ３３５０−（ＳＡ）２である、請求項２４に記載の組成物。
【請求項２８】
前記活性化ポリアルキレングリコール二酸誘導体がＰＥＧ３３５０−（ＳＳｅｂ）２である、請求項２４に記載の組成物。
【請求項２９】
前記組成物は、生分解性ポリマーと組み合わせて患者の前記創傷、前記空隙又は前記組織に適用されることを特徴とし、前記生分解性ポリマーがポリ乳酸、ポリグリコール酸又はそのコポリマーである、請求項１４から２２までのいずれか一項に記載の組成物。
【請求項３０】
前記組成物は、ポリマーと組み合わせて患者の前記創傷、前記空隙又は前記組織に適用されることを特徴とし、前記ポリマーがコラーゲン、ヒアルロン酸、アルブミン、セルロース、エラスチン、フィブリン、フィブロネクチン、ゼラチン、ヘパリン、ヘパリン硫酸、ポリリシン、ポリ酢酸ビニル、ポリビニルピロリドン、ポリアクリル酸、ポリエチレングリコール、ポリプロピレングリコール−ポリエチレングリコールコポリマー、トリメチレンカーボネート又はトリペプチドＡｒｇ−Ｇｌｙ−Ａｓｐを含むポリペプチドである、請求項１４から２２までのいずれか一項に記載の組成物。
【請求項３１】
前記組成物は、予形成ヒドロゲルと組み合わせて患者の前記創傷、前記空隙又は前記組織に適用されることを特徴とし、前記予形成ヒドロゲルが本明細書で述べるポリアルキレンイミンヒドロゲルである、請求項１４から２２までのいずれか一項に記載の組成物。
【請求項３２】
前記組成物は、溶解可能なポリマー又は無機塩と組み合わせて患者の前記創傷、前記空隙又は前記組織に適用されることを特徴とする、請求項１４から２２までのいずれか一項に記載の組成物。
【請求項３３】
前記溶解可能なポリマーがミクロスフェア又はナノスフェアとして製剤化される、請求項３２に記載の組成物。
【請求項３４】
前記組成物は、補綴材料と組み合わせて患者の前記創傷、前記空隙又は前記組織に適用されることを特徴とする、請求項１４から１６までのいずれか一項に記載の組成物。
【請求項３５】
前記補綴材料がメッシュである、請求項１７又は３４に記載の組成物。
【請求項３６】
形成されたヒドロゲルが、直径が約１ミクロン〜約１００ミクロンの範囲の細孔を有する、請求項１４から２２までのいずれか一項に記載の組成物。
【請求項３７】
前記活性化ポリアルキレングリコール二酸誘導体と前記架橋剤とを水溶液中で結合させ、結合直後に前記水溶液が１００〜７００ｍＯｓ／ｋｇの重量オスモル濃度を有する、請求項１４から２２までのいずれか一項に記載の組成物。
【請求項３８】
Ｒがメチル又はＨである、請求項１から１３までのいずれか一項に記載のポリマー組成物。
【請求項３９】
ＲがＨである、請求項１から１３までのいずれか一項に記載のポリマー組成物。
【請求項４０】
Ｒがメチル又はＨである、請求項１４から１７、および２３から３７までのいずれか一項に記載の組成物。
【請求項４１】
ＲがＨである、請求項１４から１７、および２３から３７までのいずれか一項に記載の組成物。